(57)【要約】【課題】  全体的なサイズを減少させながら光学特性を向上させるためのバックライトアセンブリ及びこれを採用する液晶表示装置を提供する。【解決手段】本発明によるバックライトアセンブリは、反射面と前記反射面と連結された入射面とを有する底面、前記底面と対向する上面、前記底面と上面とを連結する側面で構成され、光をガイドするための導光板と、前記底面の入射面の下側に具備され前記光を発生させるランプユニットとを有する。このような、ランプユニットを底面の入射面の下側に具備すると、液晶表示装置の全体的な大きさを減少させることができ、また、光学的特性を向上さえることができる。【選択図】  図１
2004193135.tif 000002
【特許請求の範囲】
【請求項１】
反射面及び前記反射面と連結された入射面を有する底面と、前記底面と対向する上面と、前記底面及び上面を連結する側面とで構成され、光をガイドするための導光板、及び
前記底面の前記入射面の下側に具備され、前記光を発生させるランプユニット、
を含むことを特徴とするバックライトアセンブリ。
【請求項２】
前記側面は、
前記底面から垂直に延びる第１側面と、
前記第１側面と対向する第２側面と、
第１側面及び第２側面の間に連結された第３側面と、
前記第３側面と対向する第４側面と、
を含むことを特徴とする請求項１記載のバックライトアセンブリ。
【請求項３】
前記入射面は前記上面と平行に設けられ、前記反射面が設けられる部分の導光板は前記ランプユニットから遠くなるほど厚さが薄くなることを特徴とする請求項２記載のバックライトアセンブリ。
【請求項４】
前記側面は
前記底面の方に傾いた第１側面と
前記第１側面と対向する第２側面と、
前記第１側面と第２側面との間に連結された第３側面及び第３側面と対向する第４側面と、
を含むことを特徴とする請求項１記載のバックライトアセンブリ。
【請求項５】
前記第１側面は前記入射面を通じて前記ランプユニットから提供される光を前記反射側面に反射することを特徴とする請求項４記載のバックライトアセンブリ。
【請求項６】
前記入射面は前記上面と平行に設けられ、前記反射面が設けられる部分の導光板は前記ランプユニットから遠くなるほど厚さが薄くなることを特徴とする請求項４記載のバックライトアセンブリ。
【請求項７】
前記第１側面は前記入射面を通じて前記ランプユニットから提供される光を前記反射面側に反射することを特徴とする請求項６記載のバックライトアセンブリ。
【請求項８】
前記側面は、
前記底面から垂直に延びる垂直面と連結され前記底面側に傾いた傾斜面を有する第１側面と、
前記第１側面と対向する第２側面と、
前記第１側面及び第２側面の間に連結された第３側面と、
前記第３側面と対向する第４側面で構成されることを特徴とする請求項１記載のバックライトアセンブリ。
【請求項９】
前記傾斜面は、前記入射面を通じて前記ランプユニットから提供される光を前記反射面側に反射することを特徴とする請求項８記載のバックライトアセンブリ。
【請求項１０】
前記入射面は前記上面と平行に設けられ、前記反射面が設けられる部分の導光板は前記ランプユニットから遠くなるほど厚さが薄くなることを特徴とする請求項８記載のバックライトアセンブリ。
【請求項１１】
前記傾斜面は前記入射面を通じて前記ランプユニットから提供される光を前記反射面側に反射することを特徴とする請求項１０記載のバックライトアセンブリ。
【請求項１２】
前記底面の前記反射面の下側に具備され、前記導光板から漏れる光を前記導光板側に反射するための反射板をさらに具備することを特徴とする請求項１記載のバックライトアセンブリ。
【請求項１３】
前記ランプユニット及び前記導光板を収納するための収納容器をさらに含むことを特徴とする請求項１記載のバックライトアセンブリ。
【請求項１４】
前記収納容器は、
前記底面の前記反射面を覆う第１収納部と、
前記第１収納部の下に位置して前記ランプユニットを覆う第２収納部とを有することを特徴とする請求項１３記載のバックライトアセンブリ。
【請求項１５】
反射面及び前記反射面から延びる入射面を有する底面と、前記底面と対向する上面と、前記底面及び上面を連結する側面とで構成され、光をガイドするための導光板、及び
前記底面の前記入射面の下側に具備され、前記光を発生させるランプユニット、
を含むことを特徴とするバックライトアセンブリ。
【請求項１６】
反射面及び前記反射面から延びる入射面を有する底面と、前記底面と対向する上面と、前記底面及び上面を連結する側面とで構成され、前記入射面が前記上面側に傾いた導光板、及び
前記底面の前記入射面の下側に具備され、前記光を発生させるランプユニットを含むことを特徴とするバックライトアセンブリ。
【請求項１７】
前記入射面は前記反射面から延びる第１入射面と前記第１入射面から延び前記上面側に傾いた第２入射面とを有することを特徴とする請求項１６記載のバックライトアセンブリ。
【請求項１８】
液晶表示パネル、前記液晶表示パネルを駆動するための駆動信号を発生する印刷回路基板を含むディスプレーユニットと、
反射面と前記反射面と連結された入射面を有する底面と、前記底面と対向する上面と、前記底面及び上面を連結する側面とで構成され光をガイドするための導光板、及び前記底面の前記入射面の下側に具備され前記光を発生させるランプユニットを含むバックライトアセンブリと、
前記液晶表示パネルと前記バックライトアセンブリとを収納するための収納容器と、
を含む液晶表示装置。
【請求項１９】
前記印刷回路基板は前記収納容器の底面側に折曲されて収納されることを特徴とする請求項１８記載の液晶表示装置。
【請求項２０】
前記印刷回路基板は前記導光板の反射面と平行に配置されることを特徴とする請求項１９記載の液晶表示装置。
【請求項２１】
前記側面は、
前記底面で垂直に延長された第１側面と、
前記第１側面及び第２側面の間に連結された第３側面及び前記第３側面と対向する第４側面と、を含むことを特徴とする請求項２０記載の液晶表示装置。
【請求項２２】
前記入射面は前記上面と平行に設けられ、前記反射面が設けられる部分の導光板は前記ランプユニットから遠くなるほど厚さが薄くなることを特徴とする請求項２０記載の液晶表示装置。
【請求項２３】
前記印刷回路基板は前記導光板の側面に折曲されて前記側面と並んで配置されることを特徴とする請求項１８記載の液晶表示装置。
【請求項２４】
液晶表示パネル、前記液晶表示パネルを駆動するための駆動信号を発生する印刷回路基板を含むディスプレーユニットと、
反射面と前記反射面から延びる入射面を有する底面と、前記底面と対向する上面と、前記底面及び上面を連結する側面とで構成され光をガイドするための導光板、及び、前記底面の前記入射面の下側に具備され前記光を発生させるランプユニットを含むバックライトアセンブリと、
前記液晶表示パネルと前記バックライトアセンブリとを収納するための収納容器と、
を含む液晶表示装置。
【請求項２５】
液晶表示パネル、前記液晶表示パネルを駆動するための駆動信号を発生する印刷回路基板を含むディスプレーユニットと、
反射面と前記反射面から延長された入射面を有する底面と、前記底面と対向する上面と、前記底面と上面とを連結する側面で構成され前記入射面は前記上面側に傾くように形成されている導光板、及び前記底面の前記入射面の下側に具備され、前記光を発生させるランプユニットを含むバックライトアセンブリと、
前記液晶表示パネルと前記バックライトアセンブリとを収納するための収納容器と、を含むバックライトアセンブリ。
【請求項２６】
有効ディスプレー領域と非有効ディスプレー領域が具備された液晶パネルと、
光を発生する光発生手段と、
底面、前記底面と対向する上面、及び前記底面と上面とを連結する側面で構成された導光板と、
前記光発生手段及び前記導光板を収納する収納容器とを含み、
前記導光板が前記ランプの長さの方向に延長された階段形状の溝が形成された光発生手段の収納部を有する
ことを特徴とする液晶表示装置。
【請求項２７】
前記光発生手段の収納部は、前記液晶表示装置の上側から見るとき前記非有効ディスプレー領域に位置することを特徴とする請求項２６記載の液晶表示装置。
【請求項２８】
前記光発生手段の収納部は、前記導光板の底面または上面のうち少なくとも一つの面に具備されることを特徴とする請求項２６記載の液晶表示装置。
【請求項２９】
前記階段形状の溝は丸く処理されたことを特徴とする請求項２６記載の液晶表示装置。
【請求項３０】
前記光発生手段は、
光を発生するランプと、
前記ランプに電源を印加する第１及び第２電極線と、
前記ランプをカバーするランプ反射板と、を含むことを特徴とする請求項２６記載の液晶表示装置。
【請求項３１】
前記第１電極線は前記ランプの一端部に高電圧を印加するための高電圧電極線であり、前記第２電極線は前記ランプの他の一端部を接地状態に保持するための低電圧電極線であることを特徴とする請求項３０記載の液晶表示装置。
【請求項３２】
前記ランプ反射板は、
前記導光板の底面または上面と平行に設けられる第１反射壁と、
前記導光板の側面と平行に設けられる第２反射壁と、
前記第１反射壁及び第２反射壁を連結する連結壁と、を含むことを特徴とする請求項３０記載の液晶表示装置。
【請求項３３】
前記第２電極線は前記ランプ反射板の連結壁と前記収納容器との間の空間を通して引き出されることを特徴とする請求項３２記載の液晶表示装置。
【請求項３４】
前記光発生手段は第１ランプ及び第２ランプであることを特徴とする請求項２６記載の液晶表示装置。
【請求項３５】
前記導光板に形成された階段形状の溝は、第１深さを有する第１ステップと、前記第１深さより大きい第２深さを有する第２ステップとを有することを特徴とする請求項３４記載の液晶表示装置。
【請求項３６】
前記第１ランプは前記第１ステップ部分に配置され前記第２ランプは第２ステップ部分に配置されることを特徴とする請求項３５記載の液晶表示装置。
【請求項３７】
第１深さと第２深さの差異は、前記第１ランプまたは第２ランプの直径より小さいことを特徴とする請求項３６記載の液晶表示装置。
【請求項３８】
反射面と入射面を有する底面、前記底面と対向する上面及び前記底面と前記上面とを連結する側面で構成された導光板と、
前記導光板の前記入射面の下側に具備され、前記光を発生させるランプと前記ランプをカバーするためのランプカバーとを有するランプユニットと、
前記ランプの一端部に接続されて第１電源電圧を供給するための第１電極線と、
前記ランプの他の一端部に接続されて第２電源電圧を供給し、前記第１電極線側に引き出されて設置される第２電極線を含み、
前記第２電極線は前記ランプカバーの一側面に沿って前記導光板の前記反射面の下側に収納されることを特徴とするバックライトアセンブリ。
【請求項３９】
前記導光板の側面のうち少なくとも一つ以上が、前記底面の前記入射面の方に行くほど傾きの程度が強くなるように形成されることを特徴とする請求項３８記載のバックライトアセンブリ。
【請求項４０】
前記第１電極線は前記ランプの一端部に高電圧を印加するための高電圧電極線であり、前記第２電極線は前記ランプの他の一端部を接地状態に保持するための低電圧電極線であることを特徴とする請求項３８記載のバックライトアセンブリ。
【請求項４１】
前記導光板の入射面は前記反射面より突出された突出部を有することを特徴とする請求項３８記載のバックライトアセンブリ。
【請求項４２】
前記突出部は前記ランプカバーに介在されることを特徴とする請求項４１記載のバックライトアセンブリ。
【請求項４３】
反射面と第１入射面とを有する底面、前記底面と対向する上面及び前記底面と前記上面を連結する側面で構成された導光板と、
前記導光板の前記第１入射面の下側に具備され、前記光を発生させる第１ランプを含み、
前記導光板の前記第１入射面は前記第１ランプを収納するための第１グルーブを有することを特徴とするバックライトアセンブリ。
【請求項４４】
前記導光板の前記第１入射面と対向する前記第２入射面の上側に具備される第２ランプをさらに含むことを特徴とする請求項４３記載のバックライトアセンブリ。
【請求項４５】
前記第２入射面は前記第２ランプを収納するための第２グルーブを有することを特徴とする請求項４４記載のバックライトアセンブリ。
【請求項４６】
前記第１及び第２ランプをカバーするために一体に形成されたランプカバーをさらに含むことを特徴とする請求項４４記載のバックライトアセンブリ。
【請求項４７】
前記入射面は、一定の曲率を有し、前記導光板の内側に陥没された複数の第１曲面、及び前記複数の第１曲面を互いに連結し、前記導光板の外側に向かって突出する第２曲面を含むことを特徴とする請求項４７記載のバックライトアセンブリ。
【請求項４８】
前記ランプユニットは前記複数の第１曲面のそれぞれに沿って配置されて前記収納空間に収納される複数のランプを含むことを特徴とする請求項４８記載のバックライトアセンブリ。
【請求項４９】
前記入射面は一定の曲率を有する１つの曲面を具備することを特徴とする請求項４７記載のバックライトアセンブリ。
【請求項５０】
前記ランプユニットは前記曲面に沿って配置されて前記収納空間に収納される１つ以上のランプを含むことを特徴とする請求項５０記載のバックライトアセンブリ。
【請求項５１】
前記入射面と前記射出面とが成す内角は３０°以上６０°以下でありことを特徴とする請求項４７記載のバックライトアセンブリ。
【請求項５２】
前記導光板は前記入射面と前記射出面を連結し、前記光を前記射出面側にガイドするためのガイド面をさらに含むことを特徴とする請求項４７記載のバックライトアセンブリ。
【請求項５３】
前記ランプユニットは、光を発生するランプ及び前記光を前記導光板に反射するためのランプ反射板で構成されることを特徴とする請求項４７記載のバックライトアセンブリ。
【請求項５４】
前記ランプ反射板は、
前記導光板の前記反射面と並んでいる第１反射板と、
前記連結面と並んでいる第２反射板と、
前記第１反射板と第２反射板とを連結し、前記射出面から所定の角度で傾いた第３反射板と、を含むことを特徴とする請求項５４記載のバックライトアセンブリ。
【請求項５５】
前記第３反射板と前記射出面とが成す内角は３０°以上６０°以下であることを特徴とする請求項５５記載のバックライトアセンブリ。
【請求項５６】
前記ランプユニットは、前記ランプの一端部に連結されて第１電圧を印加するための第１電極線及び前記ランプの他端部に連結されて前記第１電圧より低い第２電圧を印加するための第２電極線をさらに含むことを特徴とする請求項５５記載のバックライトアセンブリ。
【請求項５７】
前記ランプ反射板は、第３反射板から前記ランプに向かって陥没されて前記ランプの他端部から前記ランプの一端部側に引き出される前記第２電極線を収納するための電極線収納空間を提供することを特徴とする請求項５７記載のバックライトアセンブリ。
【請求項５８】
入射面、射出面及び反射面を具備し、前記入射面は前記射出面及び反射面の外側に向かって突出する第１傾斜面、第２傾斜面及び前記第１及び第２傾斜面を連結する連結面で構成される導光板と、
第１傾斜面に具備される第１ランプと、
第２傾斜面に具備される第２ランプと、
を含むバックライトアセンブリ。
【請求項５９】
前記第１ランプは前記射出面から延びる第１仮想平面と、前記連結面から前記第１仮想平面にむかって垂直に延びる第２仮想平面とが成す空間内に具備されることを特徴とする請求項５９記載のバックライトアセンブリ。
【請求項６０】
前記第２ランプは前記反射面から延びる第３仮想平面と、前記連結面から前記第３仮想平面に向かって垂直に延びる第４仮想平面とが成す空間内に具備されることを特徴とする請求項６０記載のバックライトアセンブリ。
【請求項６１】
前記第１ランプ及び前記第２ランプをカバーするために一体に形成されたランプ反射板をさらに具備することを特徴とする請求項６１記載のバックライトアセンブリ。
【請求項６２】
前記第１傾斜面及び第２傾斜面は陥没して丸く処理されたことを特徴とする請求項５９記載のバックライトアセンブリ。
【請求項６３】
入射面、射出面及び反射面を具備し、前記入射面が前記導光板の内側に陥没して前記射出面と反射面との間に位置するグルーブで構成された導光板と、
前記グルーブ内に具備されたランプと、
を含むバックライトアセンブリ。
【請求項６４】
前記ランプをカバーするためのランプ反射板をさらに含むことを特徴とする請求項６４記載のバックライトアセンブリ。
【請求項６５】
前記グルーブは丸く処理されたことを特徴とする請求項６４記載のバックライトアセンブリ。
【発明の詳細な説明】
【技術分野】
【０００１】
本発明はバックライトアセンブリ及びこれを採用する液晶表示装置に関し、さらに詳細には全体的なサイズを減少させながら光学特性を向上させるためのバックライトアセンブリ及びこれを採用する液晶表示装置に関する。
【背景技術】
【０００２】
液晶表示装置は映像を表示するディスプレーユニット及び前記ディスプレーユニットの後面に配置されて光を発生するバックライトアセンブリを含む。
【０００３】
前記バックライトアセンブリは、光を発生するランプユニット及び前記光を前記ディスプレーユニット側にガイドするための導光板で構成される。前記ランプユニットは前記光を発生するランプ及び前記ランプをカバーして前記光を前記導光板側に反射するランプ反射板を含む。前記導光板は、前記光を射出する上面及び前記上面と向き合って前記光を前記上面側に反射するための底面及び前記上面と前記底面を連結する側面で構成される。
【０００４】
最近は、製品の競争力を確保するためにスリム化及び軽量化された液晶表示装置が開発されている。特に、前記液晶表示装置が主に携帯用コンピューターなどに使用される点から見ると軽量化はさらに重要な問題として扱われている。
【０００５】
特に、前記バックライトアセンブリの構造によって前記液晶表示装置の大きさ及び光効率が違い、前記液晶表示装置の機械的及び光学的特性が影響を受ける。
【発明の開示】
【発明が解決しようとする課題】
【０００６】
前述した問題点を解決するための本発明の目的は大きさを減少させることができるバックライトアセンブリを提供することにある。
【０００７】
また、本発明の他の目的は前記バックライトアセンブリを有する液晶表示装置を提供することにある。
【課題を解決するための手段】
【０００８】
本発明は多様な形状の導光板を採用し、バックライトアセンブリの構造を変更することで全体的なサイズを減少しながら光学特性を向上させることができる。
【発明を実施するための最良の形態】
【０００９】
以下、図面を添付して本発明の望ましい一実施例をより詳細に説明する。
【００１０】
図１は本発明の第１実施例による液晶表示装置を示す分解斜視図であり、図２は図１をＩ−Ｉ´で切断した断面図であり、図３は図３をII−II´で切断した断面図である。 
【００１１】
図１、図２及び図３を参照すると、液晶表示装置２０００は、映像を表示するための液晶表示パネル２１０を含むディスプレーユニット２００と、ディスプレーユニット２００に均一な光を供給するためのランプユニット７５０とを有する。
【００１２】
液晶表示装置２０００は電界によって光透過度が変更される液晶を利用してディスプレーを実施する。
【００１３】
このとき、液晶表示パネル２１０側に光を供給するためのランプユニット７５０が具備されたバックライトアセンブリ７００は、光を発生するランプ７５１、ランプ反射板７５３、前記光をディスプレーユニット２００にガイドする導光板７２０、導光板７２０の上部に配置されて導光板７２０からの光の視野角を調節する光学シート類３３０、導光板７２０から漏れた光を再び導光板７２０に反射するための反射板７４０を具備する。
【００１４】
ランプ７５１には、冷陰極線管が主に使用され、ランプ７５１から発生される光は導光板７２０を通じてディスプレーユニット２００へ入射される。ランプ反射板７５３の内面には反射部材が形成されて、ランプ反射板７５３は光を導光板７２０側に反射させて光の効率を向上させる。
【００１５】
図２に示したように、ランプ７５１は導光板７２０の下側に具備される。従って、導光板７２０の側面にランプ７５１が配置される場合のように必要な空間を確保する必要がないので、べゼルを狭くすることができる。
【００１６】
本発明では、導光板７２０の形状がウエッジ（くさび形状）タイプであるものを採用しているが、プレート（板形状）タイプの導光板の場合も本発明の技術的思想が同一な場合なら適用することができるだろう。
【００１７】
一方、ディスプレーユニット２００は、映像を表示する液晶表示パネル２１０と、液晶表示パネル２１０を駆動するための駆動回路基板であるデータ印刷回路基板２２０及びゲート印刷回路基板２３０、データ側テープキャリアパッケージ（以下、ＴＣＰ）２４０、及びゲート側ＴＣＰ２５０を含む。
【００１８】
液晶表示パネル２１０は、薄膜トランジスター（以下、ＴＦＴ）（図示せず）と画素電極（図示せず）が形成されたＴＦＴ基板２１１、ＲＧＢ画素及び共通電極が形成されたカラーフィルター基板２１３及びＴＦＴ基板２１１とカラーフィルター２１３との間に位置する液晶（図示せず）を含む。
【００１９】
ＴＦＴ基板２１１はマトリックス状のＴＦＴが形成されている透明なガラス基板である。前記ＴＦＴのソース端子にはデータラインが連結され、ゲート端子にはゲートラインが連結される。また、ドレーン端子には透明な導電性材質であるインジウムすず酸化物（Ｔｉｎ  ｏｘｉｄｅ；以下、ＩＴＯと称する）からなる画素電極が形成される。
データライン及びゲートラインに電気的信号を入力するとそれぞれのＴＦＴのソース端子とゲート端子に電気的な信号が入力され、このような電気的信号の入力によってＴＦＴはターンオンまたはターンオフされる。ドレーン端子には画素形成に必要な電気的な信号が出力される。
【００２０】
ＴＦＴ基板２１１に対向してカラーフィルター基板２１３が具備されている。カラーフィルター基板２１３は光が通過すると所定の色が発現される色画素であるＲＧＢ画素が薄膜工程によって形成された基板である。カラーフィルター基板２１３の全面にはＩＴＯからなる共通電極が塗布されている。
【００２１】
前述したＴＦＴ基板２１１のトランジスターのゲート端子及びソース端子に電源が印加されてＴＦＴがターンオンされると、画素電極とカラーフィルター基板の共通電極との間には電界が形成される。このような電界によってＴＦＴ基板２１１とカラーフィルター基板２１３との間に注入された液晶の配列角が変化し、変化した配列角によって光透過度が変更されて所望の画素を得ることができる。
【００２２】
図示したように、液晶表示パネル２１０のソース側にはデータ駆動信号の印加時期を決定するデータ側ＴＣＰ２４０が付着され、ゲート側にはゲートの駆動信号の印加時期を決定するためにゲート側ＴＣＰ２５０が付着されている。データ印刷回路基板２２０はデータ側ＴＣＰ２４０と接続され、液晶表示パネル２１０の外部から映像信号の入力を受けてデータラインに駆動信号を印加する。ゲート印刷回路基板２３０はゲート側ＴＣＰ２５０と接続されてゲートラインに駆動信号を印加する。
【００２３】
図２に図示したように、ゲート印刷回路基板２３０はゲート側ＴＣＰ２５０が折り曲げられることによってモールドフレーム４００の底面側に配置され、導光板７２０の底面７２１の反射面７２１b（図４）と平行に具備される。
【００２４】
即ち、ランプ７５１が導光板７２０の下側に具備されることにより作り出される空間にゲート印刷回路基板２３０を具備することで、ゲート印刷回路基板２３０が配置されることによって液晶表示装置２０００の大きさが増加してしまうことを防止することができる。
【００２５】
また、図３に図示されたように、データ印刷回路基板２２０はデータ側ＴＣＰ２４０が折り曲げられることによって導光板７２０の側面に折曲され、導光板７２０の側面に隣接して具備される。
【００２６】
即ち、データ印刷回路基板２２０の導光板７２０の側面に配置されることにより、ベゼル（ＮＢ）が広くなることを防止して、結局液晶表示装置２０００の全体的な大きさを更に小さくすることができる。
【００２７】
一方、図１では液晶表示装置２０００がデータ印刷回路基板２２０とゲート印刷回路基板２３０とを別体のものとして具備することを図示したが、データ印刷回路基板２２０とゲート印刷回路基板２３０とが統合された統合印刷回路基板（図示せず）１つのみを具備するようにすることもできる。
【００２８】
図２及び図３ではゲート印刷回路基板２３０が導光板７２０の底面に配置され、データ印刷回路基板２２０が導光板７２０の側面に配置されることを示したが、本発明の技術分野に属する熟練した当業者なら多様な構造に修正及び変更することができる。
【００２９】
例えば、ゲート印刷回路基板２３０を導光板７２０の側面に配置する、あるいは、、前述したような統合印刷回路基板を有する液晶表示装置である場合には統合印刷回路基板を導光板７２０の底面に配置する等、幾つかの変形例を本発明に適用することができる。
【００３０】
導光板７２０の下には、印刷回路基板によって反射されないで、導光板７２０から漏れる光を導光板７２０側に反射させる反射板７４０が設置される。導光板７２０の上には、導光板７２０から不均一な輝度分布で射出された光を均一な輝度分布を有するようにするための複数の光学シート類が３３０が配置される。
【００３１】
導光板７２０、ランプユニット７５０、光学シート類３３０及び反射板７４０は、ボトムシャーシ１５０に収納される。
【００３２】
ボトムシャーシ１５０は導光板７２０、ランプユニット７５０、光学シート類３３０及び反射板７４０を収納した状態でモールドフレーム４００に収納される。その後、光学シート類３３０上にはディスプレーユニット２００が配置される。ディスプレーユニット２００はモールドフレーム４００と対向して結合するトップシャーシ１１０によってガイドされる。
【００３３】
具体的に、モールドフレーム４００にはボトムシャーシ１５０が収納され、その上に反射板７４０、ランプユニット７５０、導光板７２０、光学シート類３３０、ミドルシャーシ５００、液晶表示パネル２１０、トップシャーシ１１０が順次配置される。
【００３４】
一方、図面に図示していないが、バックライトユニットや液晶表示モジュールの収納のためにリアーケースとフロントケースが結合されるが、両ケースはフック結合される。即ち、リアーケースとフロントケースのうちいずれか１つには突起を形成し残りの１つには溝を形成して突起が溝に係合することによってリアーケースとフロントケースが結合される。
【００３５】
以下で説明する第２実施例ないし第１７実施例において、第１実施例で説明した内容のうち発明の同一性範囲を脱しない範囲内で同様に採用できるものについては同一の図面符号を使用し、重複する説明は略する。
【００３６】
図４は図１で図示した導光板を示す斜視図であり、図５は図４の導光板の底面を示す図である。
【００３７】
図４を参照すると、第１実施例に採用される導光板７２０は、底面７２１と、上面７２６と、第１、第２、第３、第４側面７２２、７２３、７２４、７２５とで構成される。
【００３８】
底面７２１は反射面７２１bと入射面７２１ａとを有し、上面７２６は底面７２１と対向する面である。ここで、反射面７２１ｂは入射面７２１ａを延長した面として見ることができる。
【００３９】
そして、第１側面７２２は底面７２１から垂直に延在し、第２側面７２３は第１側面７２２と対向する。また、第３側面７２４は第１及び第２側面７２２，７２３を連結し、第４側面７２５は第３側面７２４と対向する。
【００４０】
具体的に、底面７２１の入射面７２１ａは下側にランプユニット７５０が配置されて光が入射される面であり、底面７２１の反射面７２１ｂは光を上面７２６に反射させる面である。
【００４１】
また、上面７２６は後に液晶表示パネル側に射出する面である。
【００４２】
一般的に、導光板の形状が角がある多角形である場合、角に光がたまる光たまり現象が起きるようになって光反射効率が落ちるようになる。
【００４３】
従って、設計のときこのような光たまり現象を防止するために、導光板の角部分を丸く処理するのが一般的である。
【００４４】
一方、導光板７２０の底面７２１の入射面７２１ｂの下側にランプユニットが配置されることにより底面７２１の反射面７２１ａの下側に空間ができるので、前述したようにゲート印刷回路基板を上記空間に配置して、ゲート印刷回路基板の配置によって液晶表示装置の全体的な大きさが大きくなることを防止することができる。
【００４５】
図４および図５に示すように、入射面７２１ａ（図５のＩＡで示される面）の下側にランプユニット７５０が配置されて光が入射され、反射面７２１ｂ（図５のＲＡで示される面）は光を反射する役割を有する。
【００４６】
図６は図１に図示されたバックライトアセンブリの結合構造を示す斜視図であり、図７は図１に図示されたバックライトアセンブリの収納構造を示す斜視図である。
【００４７】
図６及び図７を参照すると、導光板７２０の下部に反射板７４０とランプ反射板７５３が具備され、反射板７４０とランプユニット７５０の下部にボトムシャーシ１５０が具備される。
【００４８】
具体的に、ランプユニット７５０は導光板７２０の入射面７２１ａに具備されて光を発生し、反射板７４０は導光板７２０の反射面７２１ｂに具備されて、導光板７２０から漏れた光を導光板７２０側に反射させる。
【００４９】
また、導光板７２０及びランプユニット７５０を収納するためにボトムシャーシ１５０が具備される。ボトムシャーシ１５０は導光板７２０とランプユニット７５０を収容する構造として構成されており、第１収納部１５０ａと第２収納部１５０ｂを有する。
【００５０】
即ち、第１収納部１５０ａは導光板７２０の反射面７２１ｂに接して具備された反射板７４０を収容し、第２収納部１５０ｂは第１収納部１５０ａの両側下に位置して導光板７２０の入射面７２１ｃに具備されたランプユニット７５０を完全に収容する構造である。
【００５１】
図７に示すように、ホット電極（図示せず）及び接地電極７５９は外部電源を入力するためにランプユニット７５０の片方端部側に引き出される。
【００５２】
ホット電極は高電圧の経路であるので高熱が発生する可能性が高く、この高熱は周辺回路素子の誤動作を誘発することがある。従って、接地電極７５９をホット電極側に長く引き出してコネクター（図示せず）に連結する構造を一般的に採択している。
【００５３】
本発明ではランプ反射板７５３が収納されたモールドフレーム４００の一部に接地電極７５９を引き出すためのグルーブ７５７が形成される。
【００５４】
図８は本発明の第２実施例による導光板を示す斜視図である。
【００５５】
図８を参照すると、導光板８２０は底面８２１と、上面８２６と、第１、第２、第３、第４側面８２２、８２３、８２４、８２５で構成される。
【００５６】
底面８２１は反射面８２１ｂと入射面８２１ａで構成される。ここで、反射面８２１ｂは入射面８２１ａを延長した面とすることができる。
【００５７】
上面８２６は底面８２１と対向する面であり、第１、第２、第３、第４側面８２２、８２３、８２４、８２５は底面８２１と上面８２６とを連結する面である。
【００５８】
具体的に、第１側面８２２は底面８２１側に傾斜するように形成されており、第２側面８２３は第１側面８２２と対向する。
【００５９】
そして、第３側面８２４は第１側面８２２と第２側面８２３とを連結し、第４側面８２５は第３側面８２４と対向する。
【００６０】
即ち、底面８２１の入射面８２１ａは下側にランプユニット７５０が配置されて光が入射され、底面８２１の反射面８２１ｂは入射された光を上面８２６側に反射させる。
【００６１】
また、上面８２６は光を液晶表示パネル側に射出する。４つの側面のうち第１側面８２２は光を底面８２１の反射面８２１ｂ側へガイドする機能を有する。
【００６２】
ここで、第１側面８２２の形状を、底面８２１側に傾く多角形形状に設定した。
【００６３】
これは、ランプユニット７５０が導光板８２０の下側に配置される場合に、導光板８２０の形状を上述した形状とすることにより、底面８２１の入射面８２１ａを通してランプユニット７５０から提供された光を底面８２１の反射面８２１ｂ側に反射させる機能を実現するためである。
【００６４】
第２実施例においても、上述した第１実施例の場合と同様に、導光板の角を丸く処理して光たまり現象を防止することができる。
【００６５】
図面に図示しなかったが、液晶表示装置の全体的なサイズを小さくするために、ランプユニットが導光板の下側に配置され、これによってできる導光板下側の空間にゲート回路基板をモールドフレーム底面側に折曲させて配置する。また、データ印刷回路基板を導光板の側面に折曲させて導光板の側面と並んで配置されるようにする。
【００６６】
図９は第３実施例による導光板を図示した斜視図である。
【００６７】
図９を参照すると、導光板９２０は底面９２１と上面９２６と、第１、第２、第３、第４側面９２２、９２３、９２４、９２５で構成される。
【００６８】
底面９２１は反射面９２１ｂと入射面９２１ａを有し、上面９２６は底面９２１と対向する面である。ここで、反射面９２１ｂは入射面９２１ａを延長した面として見ることもできる。
【００６９】
そして、第１、第２、第３、第４側面９２２、９２３、９２４、９２５は底面９２１と上面９２６を連結する。
【００７０】
具体的に、第１側面９２２は、底面９２１から垂直に延びる垂直面９２２ｂと、垂直面９２２ｂと連結され底面９２１側に傾斜するように形成された傾斜面９２２ａとを有する。
【００７１】
そして、第２側面９２３は第１側面９２２と対向し、第３側面９２４は第１側面９２２と第２側面９２３を連結する。また、第４側面９２５は第３側面９２４と対向する。
【００７２】
即ち、底面９２１の入射面９２１ａは下側にランプユニットが配置されて光が入射され、底面９２１の反射面９２１ｂは入射された光を上面９２６に反射させる。
【００７３】
また、上面９２６は光を液晶表示パネル側に射出する。４つの側面のうち第１側面９２２の傾斜面９２２ａは光を底面９２１の反射面９２１ｂ側にガイドする機能を有する。
【００７４】
ここで、第１側面９２２の傾斜面の形状を、底面９２１側に傾く多角形形状で設定した。
【００７５】
これは底面９２１の入射面９２１ａを通じてランプユニット７５０から提供された光を底面９２１の反射面９２１ｂ側に反射させる機能をうまく実現するためである。
【００７６】
上述した第１、第２実施例と同様に、第３実施例においても導光板の角を丸く処理して光たまり現象を防止することができる。
【００７７】
図１０は本発明の第４実施例による液晶表示装置の断面図でり、図１１は図１０に示したバックライトアセンブリの収納構造を示した図面である。
【００７８】
図１０及び図１１を参照すると、液晶表示装置２０２０は映像を表示するための液晶表示パネル２１０を含むディスプレーユニット２００とディスプレーユニット２００に均一な光を供給するためのバックライトアセンブリ７６０を有する。
【００７９】
外部電源の入力を受けて前記ランプ７５１に提供するためのホット電極及び接地電極７５５は、前記モールドフレーム４０１の一側外部でコネクター（図示せず）に連結される。ここで、接地電極７５５をランプ７５１が導光板７２０の下側に具備されることによってできる空間に収納するることで、液晶表示装置２０２０の大きさが大きくなることを防止することができる。
【００８０】
これを実現するため、前記接地電極７５５は前記ランプ７５１の一端部から導光板７２０の下側に折曲されて収納されるが、このとき接地電極７５５をモールドフレーム４２０に容易に収納できるようにするために、モールドフレーム４２０に接地電極７５５が通るグルーブ（ｇｒｏｏｖｅ；溝）７５８を具備する。
【００８１】
図１２は本発明の第５実施例によるバックライトアセンブリの結合構造を示す斜視図である。
【００８２】
図１２を参照すると、本発明の第５実施例に採用される導光板９１０は入射面９１１ａと反射面９１１ｂとを有する底面９１１、底面９１１と対向する上面９１６及び底面９１１と上面９１６を連結する側面で構成される。
【００８３】
前述された他の実施例と同じように、導光板９１０の入射面９１１ａの下側にランプユニット７５０が具備される。特に、第５実施例に採用される導光板９１０は導光板９１０の入射面９１１ａに反射面より突出された突出部９１５を有する。
【００８４】
即ち、導光板９１０の突出部９１５がランプ７５１が具備されたランプ反射板７５３内に配置されることによって、バックライトアセンブリの光効率を向上させることができる。具体的に、導光板９１０に突出部９１５を形成することで、ランプ７５１から発生される光の反射回数を増やし、これにより導光板７２０から射出される光が均一な輝度分布を有するようになる。
【００８５】
ランプ７５１は導光板９１０の下側に具備される。従って、導光板９１０の側面にランプ７５１が配置される場合のように導光板の側面に空間を確保する必要がなくなるので、ベゼルＮＢを狭くすることができ最終的に液晶表示装置の大きさを減少することができる。
【００８６】
図１３は本発明の第６実施例によるバックライトアセンブリの結合構造を示す斜視図である。
【００８７】
図１３を参照すると、本発明の第６実施例に採用される導光板１０２０は、第１入射面１０２１ａと第１反射面１０２１ｂとを有する底面１０２１、底面１０２１と対向し第２入射面１０２６ａと第２反射面１０２６ｂとを有する上面１０２６、底面１０２１と上面１０２６とを連結する側面で構成される。
【００８８】
第１入射面１０２１ａには、第１ランプ８５２ａを収納するために第１グルーブ１０５０ａが設けられる。
【００８９】
そして、第２入射面１０２６ａには、第１入射面１０２１ａと対向する位置に、第２ランプ８５２ｂを収納するための第２グルーブ１０５０ｂが設けられる。
【００９０】
このような第１グルーブ１０５０ａ及び第２グルーブ１０５０ｂを具備し、その中にランプ８５２ａ、８５２ｂが収納されることによって、液晶表示装置のベゼルの大きさやランプを収納するための厚みが不要となり、その結果最終的な液晶表示装置の大きさを減少することができる。また、ランプ８５２ａ、８５２ｂの収納を容易にすることができる。
【００９１】
本実施例では、第１及び第２ランプ８５２ａ、８５２ｂと第１及び第３入射面１０２１ａ、１０２６ａを全部覆うランプ反射面８５３が具備される。
【００９２】
第１及び第２ランプ８５１ａ、８５１ｂをそれぞれカバーするランプ反射板を採用することに比べて第１及び第２ランプ８５１ａ、８５１ｂを全部覆うランプ反射板８５３を採用する方が光の均一性確保のために有利である。
【００９３】
図１４は本発明の第７実施例による液晶表示装置の断面図であり、図１５は図１４で図示した導光板を示した斜視図である。
【００９４】
液晶表示装置２０３０は、映像を表示するための液晶表示パネル２１０を含むディスプレーユニットとディスプレーユニットに均一な光を供給するためのバックライトアセンブリとを有する。
【００９５】
ランプ７５１は導光板７３０の下側に具備される。従って、導光板７３０の側面にランプ７５１が配置される場合のように空間を確保する必要がないのでベゼルＮＢが狭くなる。
【００９６】
図１４及び図１５を参照すると、導光板７３０は底面７３１と上面７３６と第１、第２、第３、第４側面７３２、７３３、７３４、７３５とで構成される。
【００９７】
底面７３１は、反射面７３１ｂと入射面７３１ａとを有し、上面７３６は底面７３１と対向する面である。ここで、反射面７３１ｂは入射面７３１ａを延長した面として見ることもできる。
【００９８】
そして、第１、第２、第３、第４側面７３２、７３３、７３４、７３５は底面７３１と上面７３６とを連結する。
【００９９】
具体的に、入射面７３１ａは、側面７３２側の端部が上面７３６側に近づくような方向に傾いている。従って、ランプユニット７５０ａの導光板７３０と接する部分の形状も第１側面７３２の形状に合うように傾斜する形状に形成される。ランプユニット７５０ａは入射面７３１ａ下側に具備される。
【０１００】
第２側面７３３は第１側面７３２と対向し、第３側面７３４は第１側面７３２と第２側面７３３とを連結する。また、第４側面７３５は第３側面７３４と対向する。
【０１０１】
底面７３１の入射面７３１ａは下側にランプユニット７５０が配置されて光が入射され、底面７３１の反射面７３１ｂは入射された光を上面７３６側に反射させる。
【０１０２】
また、上面７３６は光を液晶表示パネル側に射出する。
【０１０３】
図１６は本発明の第８実施例による液晶表示装置の断面図であり。図１７は図１６で示した導光板を示す斜視図である。
【０１０４】
液晶表示装置２０４０は、映像を表示するための液晶表示パネル２１０を含むディスプレーユニット２００とディスプレーユニット２００に均一な光を供給するためのバックライトアセンブリ７００とを有する。
【０１０５】
ランプ７５１は導光板７３０ａの下側に具備される。従って、導光板７３０ａの側面のランプ７５１が配置される場合のように空間を確保する必要がないのでベゼルＮＢが狭くなる。
【０１０６】
図１７を参照すると、導光板７３０ａは、底面７３１´と、上面７３６と、第１、第２、第３、第４側面７３２、７３３、７３４、７３５とで構成される。
【０１０７】
底面７３１´は、反射面７３１ｄと、面７３１ｅ及び面７３１ｆとからなる入射面７３１ｃとを有し、上面７３６は底面７３１´と対向する面である。ここで、反射面７３１ｄは入射面７３１ｅを延長した面として見ることもできる。
【０１０８】
第１、第２、第３、第４側面７３２、７３３、７３４、７３５は、底面７３１´と上面７３６とを連結する。
【０１０９】
具体的に、入射面７３１ｃは、反射面７３１ｂから延びる第１入射面７３１ｅと第１入射面７３１ｅから延びる第２入射面７３１ｆとを有する。ここで、第２入射面７３１ｆは、第１入射面７３１ｅから離れるにつれて上面７３６ａ側に近づくように傾いている。従って、ランプユニット７５０ｂの導光板と接する部分の形状も第１側面７３２の形状に合うように傾斜する形状に形成される。ランプユニットは入射面７３１ａ下側に具備される。
【０１１０】
それから、第２側面７３３ａは第１側面７３２ａと対向し、第３側面７３４ａは第１側面７３２ａと第２側面７３３ａとを連結する。また、第４側面７３５ａは第３側面７３４ａと対向する。
【０１１１】
底面７３１ａの入射面７３１ｅ、７３１ｆは下側にランプユニットが配置されて光が入射され、底面７３１ａの反射面７３１ｄは入射された光を上面７３６ａに反射させる。
【０１１２】
また、上面７３６ａは光を液晶表示パネル側に射出する。
【０１１３】
図１８は本発明の第９実施例による液晶表示装置の分解斜視図であり、図１９は図１８をＢ−Ｂ´で切断した断面図であり、図２０は図１８の液晶表示装置に採用された導光板とランプとの位置関係を示す斜視図である。
【０１１４】
図１８及び図１９を参照すると、液晶表示装置２０５０は映像を表示するための液晶表示パネル２１０を含むディスプレーユニット２００とディスプレーユニット２００に均一な光を供給するためのバックライトアセンブリ１７００とを有する。
【０１１５】
図２０を参照すると、本発明の液晶表示装置に採用された導光板１７２０は、底面１７２１、底面１７２１と対向する上面１７２６、底面１７２１と上面１７２６とを連結する側面１７２２、１７２３、１７２４、１７２５で構成される。導光板１７２０の底面１７２１にはランプ１７５１が位置するランプ収納部１７２１ａが具備される。
【０１１６】
このとき、ランプ収納部１７２１ａは液晶表示装置２０５０の非有効ディスプレー領域ＮＢ（図１９）内に具備されて、映像が表示されない非有効ディスプレー領域ＮＢを活用することができる。また、ランプ収納部１７２１ａはランプの長さの方向に形成された階段形状の溝を有する。
【０１１７】
このようなランプ収納部１７２１ａは、図２０に図示されたように４つの側面を有する導光板１７２０において、1つの側面のみに具備されるようにしてもよく、液晶表示装置の大きさや特性によって２つの側面、３つの側面及び導光板の全側面に具備されてもよい。
【０１１８】
導光板１７２０のランプ収納部１７２１ａはランプが収納された状態でランプの短縮方向Ｃ−Ｃ´に沿って切って見るとランプの長さ方向に形成された階段形状の溝を有する。ランプ収納部１７２１ａにランプを具備することによってランプが収納される別の空間が要求されないので液晶表示装置のベゼルＮＢを狭くすることができる。
【０１１９】
ランプ収納部１７２１ａの形状は、ランプから発生される光の均一性確保のために丸く処理する方が望ましい。
【０１２０】
図２１は図１８に示した液晶表示装置のバックライトアセンブリの収納構造を示す斜視図である。
【０１２１】
図１８乃至２１を参照すると、導光板１７２０及びランプユニット１７５０を収納するためのボトムシャーシ１１５０とモールドフレーム４０３とが具備される。
【０１２２】
ホット電極（図示せず）及び接地電極７５９を外部電源を入力するためにランプユニット１７５０の片方端部側に引き出される。
【０１２３】
本発明でランプ反射板１７５３は前述した導光板のランプ収納部１７２１ａにランプ１７５１が収納された形状と合わせて、第１反射壁１７５３ｂ、第２反射壁１７５３ｃ及び第１反射壁１７５３ｂ及び第２反射壁１７５３ｃを連結する連結壁１７５３ａで構成される。
【０１２４】
第１反射壁１７５３ｂと第２反射壁１７５３ｃはそれぞれボトムシャーシ１１５０とモールドフレーム４０３とに接する部分であり、連結壁１７５３ａはボトムシャーシ１１５０及びモールドフレーム４０３と共に空間Ｓを形成する。
【０１２５】
本発明では、ランプ反射板１７５３の連結壁１７５３ａとボトムシャーシ１１５０及びモールドフレーム４０３が作り出す空間Ｓを通して、電極線が引き出される。
【０１２６】
このとき、接地電極７５９が引き出される空間は電極線を引き出すために必要とされる最少限の空間とすることが望ましい。
【０１２７】
このような構造によって形成される電極線が引き出される空間は、液晶表示装置２０００のベゼルＮＢが広がることを防止し、液晶表示装置２０００全体のサイズを更に小さくし、厚みを更に薄くすることができる。
【０１２８】
図２２は本発明の第１０実施例による液晶表示装置を示す断面図であり、図２３は図２２のＢ部分を拡大した拡大図である。
【０１２９】
図２２を参照すると、液晶表示装置３０００は映像を表示するための液晶表示パネル２１０を含むディスプレーユニットとディスプレーユニットに均一な光を供給するためのバックライトアセンブリとを有する。
【０１３０】
このとき、液晶表示装置３０００は映像を表示する有効ディスプレー領域Ｄと映像を表示しない非有効ディスプレー領域ＮＢとに分けられる。
【０１３１】
第１０実施例の液晶表示装置３０００に採用された導光板１８２０は、図２２に図示されたように、導光板１８２０の下側にランプ収納部１８２１ａを有する。
【０１３２】
このとき、ランプ収納部１８２１ａは、液晶表示装置３０００の非有効ディスプレー領域ＮＢ内に配置されており、映像が表示されない非有効ディスプレー領域ＮＢを活用することができる。ランプ収納部１８２１ａはランプ１８５１の長さ方向に形成された階段形状の溝を有する。
【０１３３】
ランプ収納部１８２１ａの形状はランプ１８５１から発生される光の均一性確保のために、角部分を丸く処理する方が望ましい。
【０１３４】
また、ランプ収納部１８２１ａ即ち、光が入射される入射面に凹凸を形成させることで、光の均一性を確保することができる。
【０１３５】
導光板１８２０には、ランプ収納部１８２１ａの長さ方向に形成された階段形状の溝が設けられている。前記ランプ収納部１８２１ａにランプ１８５１を具備することによってランプ１８５１が収納される別の空間が要求されないので液晶表示装置３０００のベゼルＮＢを狭くすることができる。
【０１３６】
特に、ランプ収納部１８２１ａは階段形状の溝を具備するように構成するが、階段形状部分の高さが幅より大きくなるように設定することによって、ランプを２つ以上具備される場合において、垂直的に見るとき、ランプが水平方向に並んで設置される場合に比べて、液晶表示装置の周辺領域に必要な幅を狭くすることができるので、最終的に液晶表示装置の大きさを小さくすることができる。
【０１３７】
それだけではなく、ランプ反射面１８５３とボトムシャーシ１１５０とモールドフレーム４０３とが成す空間が接地電極１７５５を引き出すことができる位の最少限の空間として確保されることで、空間を活用することができる。
【０１３８】
導光板１８２０の形状が角がある多角形である場合、角に光がたまる光たまり現象が起きるようになって光反射効率が落ちることがある。
【０１３９】
従って、機具設計時このような光たまり現象を防止するために導光板の角部分を丸く処理する。
【０１４０】
図２３を参照すると、本発明の第１０実施例で採用した導光板１８２０のランプ収納部１８２１ａは、第１ステップ１８２０ａと第２ステップ１８２０ｂとを有する。
【０１４１】
第１ランプ１８５１ａは第１ステップ１８２０ａに収納され、第２ランプ１８５１ｂは第２ステップ１８２０ｂに収納される。第１ステップ１８２０ａは第１深さａ、第２ステップ１８２０ｂは第１深さａより小さい第２深さｂを有し、第１ステップ１８２０ａと第２ステップ１８２０ｂとの差異ｄの値は、第１ランプ１８５１ａ及び第２ランプ１８５１ｂの直径ｃより小さい。
【０１４２】
このような構造を取ると、液晶表示装置を上方から垂直に見たとき、結果的に第１ランプ１８５１ａ及び第２ランプ１８５１ｂが少し重なるように配置されるので、液晶表示装置の大きさが減少される。
【０１４３】
望ましくは、液晶表示装置を上方から見たときに、第１ランプ１８５１ａ及び第２ランプ１８５１ｂの厚さが重なるように２つのランプを配置して、液晶表示装置の周辺部分の大きさを最小化する。
【０１４４】
図２４は本発明の第１１実施例による液晶表示装置を示す断面図である。
【０１４５】
図２４を参照すると、液晶表示装置４０００は映像を表示するための液晶表示パネル２１０を含むディスプレーユニットとディスプレーユニットに均一な光を供給するためのバックライトアセンブリとを有する。
【０１４６】
ここで、液晶表示装置４０００は映像を表示する有効ディスプレー領域Ｄと映像を表示しない非有効ディスプレー領域ＮＢとに分けられる。
【０１４７】
第１１実施例の液晶表示装置４０００に採用された導光板１９２０は、図２４に図示されたように、導光板１９２０の上側にランプ収納部１９２１ａが具備される。
【０１４８】
このとき、ランプ収納部１９２１ａは液晶表示装置４０００の非有効ディスプレー領域ＮＢ内に設けられるので、映像が表示されない非有効ディスプレー領域ＮＢを有効に活用することができる。ランプ収納部１９２１ａは、ランプ１８５１の長さ方向に形成された階段形状の溝を有する。
【０１４９】
ランプ収納部１８２１ａは、ランプ１８５１から発生される光の均一性確保のために、角の部分を丸く処理する方が望ましい。
【０１５０】
また、ランプ収納部１８２１ａ即ち、光が入射される入射面に凹凸を形成することによって光の均一性を確保することができる。
【０１５１】
第１０実施例での導光板と違って、第１１実施例の導光板１９２０ではランプ収納部１９２１ａが導光板１９２０の上側に具備される。
【０１５２】
このようにランプ収納部１９２１aが導光板１９２０の上側に具備されるとランプ１８５１から発生した光の大部分が導光板１９２０下側の反射板７４０に反射されるので更に輝度均一性の向上を図ることができる。
【０１５３】
このようなランプ収納部１９２１aは４つの側面を有する導光板１９２０において１つの側面のみに具備してもよく、液晶表示装置４０００の大きさや特性によって２つの側面、３つの側面又は導光板の全側面に具備してもよい。。
【０１５４】
導光板１９２０のランプ収納部１９２１ａはランプ１８５１の長さ方向に形成された階段形状の溝を有する。前記ランプ収納部１９２１aにランプ１８５１を収納することによって、ランプ１８５１が収納される別の空間が要求されないので、液晶表示装置４０００のベゼルＮＢを狭くすることができる。
【０１５５】
特に、ランプ収納部１８２１ａの階段形状の高さが幅より大きくなるように設定することによってランプを上下に部分的に重ねて配置することができるので、ランプが２つ以上具備される場合において、液晶表示装置を上方から見るとき、２つのランプが横に並んで具備される場合に比べて液晶表示装置の周辺領域を狭くし、最終的に液晶表示装置の大きさを小さくすることができる。
【０１５６】
また、ランプ反射板１９５３とボトムシャーシ１５０とモールドフレーム４０３とが成す空間が接地電極１７５５を引き出すことができる位の最少限の空間で確保されることによって空間を活用することができる。
【０１５７】
即ち、上述した第１０実施例において図２３を用いて示したように、第１１実施例でも、ランプが２つ以上具備される場合には、液晶表示装置に上側から見るときに２つのランプが互いに重なるようにして液晶表示装置の周辺領域の幅をできるだけ少なくすることで、最終的に液晶表示装置全体の大きさを減少させることができる。
【０１５８】
図２５は本発明の第１２実施例による液晶表示装置の分解斜視図であり、図２６は図２５に示した液晶表示装置の断面図である。
【０１５９】
図２５及び図２６を参照すると、本発明の第１２実施例による液晶表示装置５０００は映像を表示するためのディスプレーユニット２００及び前記ディスプレーユニット２００に光供給するためのバックライトアセンブリ３００を具備する。
【０１６０】
前記バックライトアセンブリ３００は光を発生するランプユニット３１０及び前記光を前記液晶表示パネル２１０にガイドするための導光板３２０を含む。また、前記ランプユニット３１０は前記光を発生する第１ランプ３１１ａ、第２ランプ３１１ｂ及び前記光を前記導光板３２０に反射するためのランプ反射板３１３で構成される。
【０１６１】
前記第１及び第２ランプ３１１ａ、３１１ｂは、それぞれ棒形状を有する冷陰極管ランプで構成される。前記ランプ反射板３１３は反射率が高い材質から成るか、前記第１及び第２ランプ３１１ａ、３１１ｂをカバーするカバー面に反射部材がコーティングされた構造を有することで、前記光を導光板３２０側に反射して前記光の効率を向上させる。
【０１６２】
前記導光板３２０は上面３２２、前記上面３２２と向き合う底面３２１及び前記上面３２２と前記底面３２１とを連結するための側面で構成される。前記上面３２２は前記光を射出して前記液晶表示パネル２１０に提供し、前記底面３２１は前記導光板３２０に入射された前記光を上面３２２側に反射する。本実施例では、前記側面のうち１つの側面の下部のみに前記ランプユニット３１０が配置される。
【０１６３】
前記側面は、光が入射され前記底面３２１から前記上面３２２に向かって傾いた入射面３２６、及び前記入射面３２６と前記上面３２２とを連結し、前記光を前記上面３２２側にガイドするためのガイド面３２４を含む。ここで、前記入射面３２６は一定の曲率を有する曲線を連結した形状を有する。従って、前記入射面３２６は前記ランプユニット３１０から入射された前記光の経路を変更して前記光が前記上面３２２の特定部分に強く進行することを防止ずる。よって、前記導光板３２０は輝度特性が均一な光を射出することができる。
【０１６４】
前記ランプユニット３１０は前記入射面３２６の下方に具備される。前記ランプユニット３１０は前記導光板３２０の領域内に含まれるので、前記ランプユニット３１０によって前記バックライトアセンブリ３００のサイズが増加することを防止することができ、さらに前記液晶表示装置５０００の全体的なサイズを減少させることができる。
【０１６５】
一方、前記バックライトアセンブリは前記導光板３２０の上部に設置されて前記導光板３２０から射出された光の視野角及び輝度均一性を向上させるための光学シート類３３０を具備する。また、前記導光板３２０から漏れた光を前記導光板３２０側に反射するための反射板３４０をさらに具備する。前記反射板３４０は前記導光板３２０の底面３２１に対応する大きさで形成される。また、前記反射板３４０は前記ランプ反射板３１３と一体に形成される。
【０１６６】
図２７は図２５及び図２６に示した導光板を具体的に示す斜視図である。
【０１６７】
図２７を参照すると、導光板３２０は光を射出する上面３２２、前記導光板３２０に入射された前記光を上面３２２側に反射する底面３２１及び前記上面３２２と底面３２１とを連結する第１ないし第４側面３２０ａ、３２０ｂ、３２０ｃ、３２０ｄで構成される。前記第１側面３２０ａは前記光が入射され前記底面３２１から前記上面に向かって傾いた入射面３２６及び前記入射面３２６と前記上面３２２とを連結し前記光を上面３２２側にガイドするためのガイド面３２４を含む。
【０１６８】
ここで、前記入射面３２６を平面で仮定した仮想の入射面と前記底面３２１が成す内角は９０°よりは大きく１８０°よりは小さい。また、前記仮想の入射面と前記上面３２２が成す内角は３０°ないし６０°の間である。
【０１６９】
前記入射面３２６は、一定の曲率を有し前記導光板３２０の内側に陥没するように形成された第１及び第２曲面３３１ａ、３３１ｂを具備する。前記第１及び第２曲面３３１ａ、３３１ｂは、前記導光板３２０の外側に向かう方向に突出する第３曲面３３３ｃによって連結される。ここで、前記第１及び第２曲面３３１ａ、３３１ｂの曲率は図２６に図示された前記第１及び第２ランプ３１１ａ、３１１ｂの曲率より大きい。
【０１７０】
前記ガイド面３２４は前記入射面３２６を通じて入射された光の経路を変更して前記上面３２２または底面３２１側にガイドする。ここで、前記ガイド面３２４と前記上面３２２が成す内角は９０°である。
【０１７１】
図２７では前記入射面３２６と前記上面３２２との間に前記ガイド面３２４が具備された構造を図示した。しかし、前記入射面３２６は前記上面３２２に直接的に連結されることができる。また、前記ガイド面３２４と前記上面３２２とが成す内角が９０°である構造のみを図示したが、前記ガイド面３２４と前記上面３２２が成す内角は０°と１８０°との間で多様に変更することができる。
【０１７２】
前記導光板３２０は前記入射面３２６の下部に具備されてランプユニット３１０を収納するための第１収納空間を形成する。前記第１収納空間の形状は前記入射面３２６の形態によって変更される。
【０１７３】
図２７では前記入射面３２６が前記第１ないし第３曲面３３１ａ、３３１ｂ、３３３で構成された形状を図示したが、前記入射面３２６の形態は前記ランプユニットに具備されるランプの数によって多様に変更することができる。例えば、前記ランプユニットが３つのランプを具備する場合、前記導光板３２０は前記導光板３２０の内側に陥没された３つの曲面及び前記導光板３２０の外側に向かって突出された２つの曲面を含む。即ち、前記入射面３２６の形態は前記ランプの数によって決定されるのが望ましい。
【０１７４】
図２８は図２５に図示したランプユニットを具体的に示す斜視図である。
【０１７５】
図２５及び２８を参照すると、ランプユニット３１０は光を発生する第１ランプ３１１ａ、第２ランプ３１１ｂ及び前記第１及び第２ランプ３１１ａ、３１１ｂをカバーして前記光を導光板３２０に反射するためのランプ反射板３１３で構成される。前記第１及び第２ランプ３１１ａ、３１１ｂそれぞれは所定の方向に長く延びる棒形状のランプである。
【０１７６】
前記ランプ反射板３１３は前記光を前記導光板３２０側に反射して前記光の効率を向上させる。前記ランプ反射板３１３は第１反射板３１３ａ、第２反射板３１３ｂ及び前記第１反射板３１３ａと前記第２反射板３１３ｂを連結する第３反射板３１３ｃで構成される。前記ランプ反射板３１３は前記第１ないし第３反射板３１３ａ、３１３ｂ、３１３ｃによって形成された第２収納空間３１３ｄに前記第１及び第２ランプ３１１ａ、３１１ｂを収納する。
【０１７７】
ここで、前記第３反射板３１３ｃと前記第１反射板３１３ａとが成す内角は９０°より大きく１８０°より小さく、前記第３反射板３１３ｃと前記第２反射板３１３ｂとが成す内角も９０°よりおおきく１８０°よりは小さい。
【０１７８】
前記ランプユニット３１０は前記第１ランプ３１１ａに外部装置から提供された電源電圧を印加するための第１及び第２電極線３１４、３１５、前記第２ランプ３１１ｂに前記電源電圧を印加するための第３及び第４電極線３１６、３１７をさらに含む。即ち、前記第１電極線３１４は前記第１ランプ３１１ａの一端部に結合され、前記第２電極線３１５は前記第１ランプ３１１ａの他端部に結合される。また、前記第３電極線３１６は前記第２ランプ３１１ｂの一端部に結合され、前記第４電極線３１７は前記第２ランプ３１１ｂの他端部に結合される。前記第１及び第３電極線３１４、３１６は前記外部装置から第１電圧の入力を受け、前記第２及び第４電極線３１５、３１７は前記第１電圧より低い第２電圧の入力を受ける。
【０１７９】
ここで、前記ランプ反射板３１３の前記第３反射板３１３ｃには第３収納空間３１３ｅが具備される。第３収納空間３１３ｅは前記ランプ反射板３１３の背面に沿って前記第１及び第２ランプ３１１ａ、３１１ｂの他端部から一端部側に引き出される前記第２及び第４電極線３１５、３１７を収納するための空間である。
【０１８０】
前記第２及び第４電極線３１５、３１７が前記第３収納空間３１３ｅに安全に収納されることによって前記バックライトアセンブリ３００の組立性を向上させることができる。
【０１８１】
図２９は図２５に図示された導光板とランプユニットの結合関係を具体的に示す斜視図である。
【０１８２】
図２９を参照すると、導光板３２０の入射面３２６は第１ないし第３曲面３３１ａ、３３１ｂ、３３３で構成される。前記導光板３２０の入射面３２６の下部にはランプユニット３１０を収納するための第１収納空間が形成される。前記第１収納空間は前記入射面３２６、前記ボトムシャーシ１５０の底面及び側壁によって形成される空間である。
【０１８３】
前記第１収納空間には前記第１ランプ３１１ａ、第２ランプ３１１ｂ、及びランプ反射板３１３が収納される。前記第１ランプ３１１ａは前記第１曲面３３１ａに沿って配置され、前記第２ランプ３１１ｂは前記第２曲面３３１ｂに沿って配置される。
【０１８４】
前記ランプ反射板３１３の第１反射板３１３ａは前記ボトムシャーシ１５０の側壁と接し、前記第２反射板３１３ｂは前記ボトムシャーシ１５０の底面と接する。前記第３反射板３１３ｃは前記第１及び第２反射板３１３ａ、３１３ｂから所定の角度に傾いて前記第１及び第２反射板３１３ａ、３１３ｂを連結する。ここで、前記第３反射板３１３ｃと前記導光板３２０の上面３２２とが成す内角は３０°以上６０°以下である。従って、前記ランプ反射板３１３は前記第１及び第２ランプ３１１ａ、３１１ｂから射出された光を効率的に前記導光板３２０側に反射する。
【０１８５】
このように、前記導光板３２０の一部分を切り開き前記切り開かれた部分に対応する空間に前記ランプユニット３１０を収納するための第１収納空間を形成することで、前記ランプユニット３１０によって前記バックライトアセンブリ３００の全体的なサイズが増加されることを防止することができる。
【０１８６】
また、前記第３反射板３１３ｃには第２及び第４電極線３１５、３１７を収納するための第３収納空間３１３ｅが具備される。具体的に、前記第３収納空間３１３ｅは前記第３反射板３１３ｃから前記導光板３２０の入射面３２３に向かって陥没して形成され、前記第１及び第２ランプ３１１ａ、３１１ｂの一方の端部に結合されて前記第１及び第２ランプ３１１ａ、３１１ｂの他方の端部側に引き出される第２及び第４電極線３１５、３１７を収納する。
【０１８７】
このように前記ランプ反射板３１３の形状を変更することによって、前記第２及び第４電極線３１５、３１７によって前記バックライトアセンブリ３００のサイズが増加されることを防止することができる。また、前記第２及び第４電極線３１５、３１７が前記第３収納空間３１３ｅに安全に収納されることで前記バックライトアセンブリ３００の組立性を向上させることができる。
【０１８８】
図３０は本発明の第１３実施例による液晶表示装置の断面図であり、図３１は図３０に図示された導光板とランプユニットとの結合関係を具体的に示す斜視図である。
【０１８９】
図３０及び図３１を参照すると、本発明の第１３実施例による液晶表示装置６０００はランプユニット３７０及び導光板３６０を含む。前記ランプユニット３７０は前記光を発生するランプ３７１及び前記ランプ３７１をカバーして前記光を前記導光板３６０側にガイドするためのランプ反射板３７３で構成される。前記ランプ反射板３７３は第１反射板３７３ｂ、第２反射板３７３ｃ及び前記第１及び第２反射板３７３ｂ、３７３ｃを連結する第３反射板３７３ａで構成される。
【０１９０】
前記ランプユニット３７０は前記ランプ３７１に外部装置から提供された電源電圧を印加するための第１及び第２電極線３７５、３７７をさらに含む。前記第１電極線３７５は前記ランプ３７１の一端部に結合されて前記ランプ３７１に第１電圧を提供し、前記第２電極線３７７は前記ランプ３７１の他端部に結合されて前記ランプ３７１に前記第１電圧より低い第２電圧を提供する。
【０１９１】
前記導光板３６０は上面３６２、前記上面３６２と向き合う底面３６１及び前記上面３６２と前記底面３６１とを連結する側面で構成される。前記側面のうちいずれか１つの側面には前記ランプユニット３７０が配置される。前記側面は前記光が入射され前記底面３６１から前記上面３６２に向かって傾いた入射面３６３及び入射面３６３と上面３６２とを連結して前記光をガイドするためのガイド面３６４を具備する。
【０１９２】
前記入射面３６３は前記導光板３６０の内側に陥没された形状を有する。ここで、前記入射面３６３の曲率はランプ３７１の曲率より大きい。前記入射面３６３の下方には前記ランプユニット３７０を収納するための第１収納空間３６５が形成される。前記第１収納空間３６５は前記入射面３６３、絶縁膜ボトムシャーシ１５０の底面及び側壁によって形成される空間である。
【０１９３】
前記第１収納空間３６５には前記ランプ３７１及びランプ反射板３７３が収納される。前記ランプ反射板３７３の第１反射板３７３ｂは前記ボトムシャーシ１５０の底面上に配置され、前記第２反射板３７３ｃは前記ボトムシャーシ１５０の側壁と接する。前記第３反射板３７３ａは前記第１及び第２反射板３７３ｂ、３７３ｃから所定の角度で傾いて前記第１及び第２反射板３７３ｂ、３７３ｃを連結する。ここで、前記第３反射板３７３ａと前記上面３６２が成す内角は３０°ないし６０°の間である。従って、前記ランプ反射板３７３は前記ランプ３７１から射出された光を効率的に前記導光板３６０側に反射することができる。
【０１９４】
また、前記第３反射板３７３ａは前記ランプ３７１に向かって陥没されて前記第３反射板３７３ａの背面には前記第２電極線３７７を収納するための第２収納空間が形成される。前記第２収納空間は前記第３反射板３７３ａと前記ボトムシャーシ１５０の底面及び側面によって形成された空間である。従って、前記第２電極線３７７は前記第２収納空間を通って前記ランプ３７１の一端部側に引き出される。
【０１９５】
このように前記ランプ反射板３７３の形状が変更されることによって、前記第２電極線３７７による前記バックライトアセンブリのサイズが増加されることを防止することができる。また、前記第２電極線３７７が前記第２収納空間に安全に収納されることによって前記バックライトアセンブリの組立性を向上させることができる。
【０１９６】
このように、前記導光板３６０の一部分を切り開いて前記切り開かれた部分に対応する空間に前記ランプユニット３７０を収納するための前記第１収納空間３６５を形成することで、前記ランプユニット３７０による前記バックライトアセンブリの全体的なサイズの増加を防止することができる。
【０１９７】
図３２は本発明の第１４実施例による液晶表示装置の断面図である。
【０１９８】
図３２を参照すると、本発明の第１４実施例による液晶表示装置７０００は上面３８２、前記上面３８２と向き合う底面３８１及び前記上面３８２と前記底面３８１を連結する側面で構成された導光板３８０を含む。前記側面のうちいずれか１つの側面の下方には前記ランプユニット３１０が配置される。前記側面は、前記底面３８１から前記上面３８２に向かって傾いて光が入射される入射面３８３、及び前記入射面３８３と前記上面３８２とを連結して前記光を前記上面３８２側にガイドするためのガイド面３８４で構成される。ここで、前記入射面３８３と前記上面３８２が成す内角は３０°以上６０°以下である。
【０１９９】
前記入射面３８３の下方には、前記ランプユニット３１０を収納するための第１収納空間３８５が形成される。前記第１収納空間３８５は前記入射面３８３、前記ボトムシャーシ１５０の底面及び側壁によって形成された空間である。前記第１収納空間３８５には第１ランプ３１１ａ、第２ランプ３１１ｂ及びランプ反射板３１３が収納される。
【０２００】
このように、前記導光板３８０の一部分を切り開いて前記切り開かれた部分に対応する空間に前記ランプユニット３１０を収納するための前記第１収納空間３８５を提供することによって、前記ランプユニット３１０によって前記バックライトアセンブリの全体的なサイズが増加されることを防止することができる。
【０２０１】
前記ランプ反射板３１３は、前記ボトムシャーシ１５０の底面に沿って配置される第１反射板３１３ａ及び前記ボトムシャーシ１５０の側壁に沿って配置される第２反射板３１３ｂを具備する。前記ランプ反射板３１３は前記第１及び第２反射板３１３ａ、３１３ｂから所定の角度で傾いて前記第１及び第２反射板３１３ａ、３１ｂを連結する第３反射板３１３ｃをさらに具備する。ここで、前記第３反射板３１３ｃは前記上面３８２から３０°以上６０以下の角を有して傾く。従って、前記ランプ反射板３１３は前記第１ランプ及び第２ランプ３１３ａ、３１３ｂから射出された光を効率的に前記導光板３８０側に反射する。
前記第３反射板３１３ｃは第１ランプ３１３ａ及び第２ランプ３１３ｂに向かって陥没されており、前記第３反射板３１３ｃの背面には電極線を収納するための空間が形成される。
【０２０２】
図３３は本発明の第１５実施例による液晶表示装置の断面図である。
【０２０３】
図３３を参照すると、本発明の第１５実施例による液晶表示装置８０００はランプユニット３１０及び導光板３９０を含む。
【０２０４】
前記ランプユニット３１０は光を発生する第１ランプ３１１ａと第２ランプ３１１ｂ及び前記光を前記導光板３９０側に反射するためのランプ反射板３４３を具備する。
【０２０５】
前記導光板３９０は上面３９２、前記上面３９２と向き合う底面３９１及び前記上面３９２と前記底面３９１とを連結する側面で構成されている。前記側面のうちいずれか１つの側面には前記第１及び第２ランプ３１１ａ、３１１ｂをそれぞれ収納するための第１及び第２収納空間３９６、３９７が形成される。前記側面は前記導光板３９０の内側に陥没するように形成されており、前記光が入射される入射面３９３を含む。前記導光板３９０は前記入射面３９３と前記上面３９２とを連結して前記光を前記上面３９２または底面３９１側にガイドするための第１ガイド面３９４及び前記入射面３９３と前記底面３９１を連結し前記光を前記上面３９２及び前記底面３９１側にガイドするための第２ガイド面３９５で構成される。
【０２０６】
前記入射面３９３は前記導光板３９０の内側に陥没された第１曲面３９３ａと、第２曲面３９３ｂと、前記第１曲面３９３ａ及び第２曲面３９３ｂを連結し前記導光板３９０の外側に向かって突出された第３曲面３９３ｃとを含む。前記導光板３９０は前記第１ないし第３曲面３９３ａ、３９３ｂ、３９３ｃによって前記第１及び第２ランプ３１１ａ、３１１ｂをそれぞれ収納するための第１及び第２収納空間３９６、３９７を提供する。前記第１ランプ３１１ａは前記第１曲面３９３ａによって形成された前記第１収納空間３９６に収納され、前記第２ランプ３１１ｂは前記第２曲面３９３ｂによって形成された前記第２収納空間３９６に収納される。従って、前記ランプユニット３１０のよって前記バックライトアセンブリの全体的なサイズが増加されることを防止できる。
【０２０７】
図２５ないし図３３ではランプユニットが導光板の一側面のみに具備された構造を図示した。しかし、前記バックライトアセンブリは複数のランプユニットを具備し、前記ランプユニットそれぞれが導光板の両側面または４つの側面の下部に具備された構造を有することができる。従って、バックライトアセンブリのサイズが増加されることを防止することができる。
【０２０８】
また、図２５ないし図３３では上面と底面との距離が前記導光板の一側面から他側に近づくほど狭くなるウエッジ（くさび）形導光板を図示した。しかし、前記バックライトアセンブリとして上面と底面との距離が一定な平板形導光板を採用することができる。
【０２０９】
図３４は本発明の第１６実施例によるバックライトアセンブリが採用される液晶表示装置の分解斜視図であり、図３５は図３４に図示された液晶表示装置の断面図である。
【０２１０】
図３４及び図３５を参照すると、液晶表示装置９０００は映像を表示するための液晶表示パネル２１０を含むディスプレーユニット２００とディスプレーユニット２００に均一な光を供給するためのバックライトアセンブリ２７００を有する。
【０２１１】
導光板２７２０はランプ２７５１を配置することができるように入射面が突出されている。このような形状を採用することによって、液晶表示装置９０００の周辺部ＮＢを小さくして液晶表示装置９０００の全体的な大きさを減少させることができる。より詳細なことは図３６ないし３８で説明することにする。
【０２１２】
図３６は図３４で図示した導光板を示した斜視図であり。図３７は図３４で図示したバックライトアセンブリで発生される光経路を示すための断面図である。
【０２１３】
図３６を参照すると、本発明に採用される導光板２７２０は射出面２７２３、反射面２７２１及び入射面２７２２を具備する。
【０２１４】
射出面２７２３は液晶表示パネル側に光を射出する面として導光板２７２０の上面に設けられる。反射面２７２１は射出面２７２３の方に光を反射させる面として導光板２７２０の底面に該当する。
【０２１５】
そして、入射面２７２２は光がランプから入射される面として反射面から延び反射面２７２１の外側に向かって突出する第１傾斜面２７２２ａ及び射出面２７２３から延び射出面２７２３の外側に突出する第２傾斜面２７２２ｂで構成される。
【０２１６】
一方、図３６に示すように、射出面２７２３から延びる第１平面Ａ、第１傾斜面２７２２ａと第２傾斜面２７２２ｂを連結する連結面２７２５から前記第１平面Ａに垂直に延びる第２平面Ｂは空間Ｎ１を成し、この空間Ｎ１には後に第１ランプが具備される。
【０２１７】
また、反射面２７２１から延びる第３平面Ｃ、第２傾斜面２７２２ｂと第２傾斜２７２２ｂを連結する連結面２７２５から前記第３平面Ｃに垂直に延びる第４平面Ｄは空間Ｎ２を成すが、この空間Ｎ２には後に第２ランプが具備される。
【０２１８】
導光板２７２０の入射面２７２２が作る空間Ｎ１、Ｎ２にランプを具備する理由は、光が射出されることにおいて、直六面体形状のうち導光板で不必要な部分を活用して、この空間にランプを具備することによって液晶表示装置の大きさが必要以上に大きくなることを防止することにある。
【０２１９】
図３７を参照すると、一般的な導光板２７２０の材質として使われるＰＭＭＡの屈折率である１.４９と、空気の屈折率である１との屈折率差によって、ランプ２７５１から発生する入射光と導光板２７２０の上下面が成す角（β）が４２．１５°以下である場合にのみ光が射出される。
【０２２０】
光は屈折法則と反射法則によって光の経路が決定されるので、これに基づいて計算されたＰＭＭＡから空気に光が進行する場合の臨界角は４２．１５°あるからである。
【０２２１】
従って、入射した光が空気との境界面を成す導光板上下面に到達したときの入射角が臨界角度４２．１５°を越える場合、導光板から空気層に向かって光が抜け出せない。
【０２２２】
これに基づいて見ると、入射経路と導光板２７２０の上下面とが成す角βが４２.１５°より大きい光が始めて入射面に入射して導光板２７２０の上下面に着くまでの経路を包括する領域を含む空間Ｎ１、Ｎ２は、直六面体形状の導光板を基準にして見ると不必要な空間になる。
【０２２３】
望ましくは、入射した光と導光板２７２０の上下面が成す角（β）が４２．１５°より大きい光が始めて入射面に入射して導光板２７２０の上下面に至るまでの光の経路を含む領域より大きいか同じ大きさの領域を含む空間Ｎ１、Ｎ２が切り取られるように六面体形状の導光板の端部を削ることにより、導光板に好ましい形状の入射面が形成される。
【０２２４】
このような不必要な空間を活用して、空間Ｎ１には第１ランプ２７５１ａが収納され、空間Ｎ２には第２ランプ２７５１ｂが収納されることによって、ランプが収納される空間を更に設ける必要がなくなるので、液晶表示装置の大きさが減少される。
【０２２５】
図３８は図３４で図示したバックライトアセンブリの結合構造を示す斜視図である。
【０２２６】
図３８を参照すると、前述したように導光板２７２０の入射面が作る空間Ｎ１、Ｎ２に第１ランプ２７５１ａと第２ランプ２７５１ｂが具備される。
【０２２７】
入射された光の射出において六面体形状の導光板を基準にして見る場合に不必要な部分である空間Ｎ１、Ｎ２部分を、ランプ２７５１が収納される空間として活用することで、液晶表示装置の周辺領域をできるだけ小さくし、最終的に液晶表示装置の大きさを減少させることができる。
【０２２８】
また、第１ランプ２７５１ａと第２ランプ２７５１ｂとを一緒に囲むランプ反射板２７５３を一体に具備することによって、組立性を向上させ、輝度均一性を保持するようにして光効率を高くすることができる。
【０２２９】
図３９は本発明の第１７実施例による導光板を示した斜視図である。
【０２３０】
図３９を参照すると、第１７実施例に採用される導光板２８２０は、射出面２８２３、反射面２８２１及び入射面２８２２を具備する。
【０２３１】
射出面２８２３は液晶表示パネルに側に光を射出する面として機能する導光板２８２０の上面であり、反射面２８２１は出射面２８２３の方に光を反射させる面として機能する導光板２８２０の底面に該当する。
【０２３２】
また、入射面２８２２は光がランプから入射される面であり、反射面２８２１から延延びる平面から内側に凹んでおり、丸く処理された面からなる第１傾斜面２８２２ｂ、及び、射出面２８２３から延びる面から内側に凹んでおり丸く処理された面からなる第２傾斜面２８２２ａで構成される。
【０２３３】
一方、第１７実施例においても第１６実施例と同じように六面体導光板から光の射出に関して不必要と考えられる空間を削り取り、この空間にランプを収納することによって、不必要な空間を活用して液晶表示装置の大きさを減少させることができる。
【０２３４】
第１７実施例で採用される導光板のように入射面に丸く処理をすると、処理されていない構造に比べて光たまりなどを防ぐことができ、輝度均一性を保持することができて光効率性を追求することができる。
【０２３５】
図４０は本発明の第１８実施例によるバックライトアセンブリの結合構造を示す分解斜視図である。
【０２３６】
図４０を参照すると、第１８実施例に採用される導光板２９２０は射出面２９２３、反射面２９２１及び入射面２９２２を具備する。
【０２３７】
射出面２９２３は液晶表示パネル側に光を射出する機能を有する導光板２９２０の上面であり、反射面２９２１は出射面２９２３の方に光を反射させる機能を有する導光板２９２０の底面である。
【０２３８】
また、入射面２９２２は反射面２９２１と射出面２９２３の内側に形成されたグルーブ（溝）で構成される。また、グルーブを丸く処理することにより、光たまりなどを防止して、輝度均一性を向上することができる。
【０２３９】
入射面２９２２であるグルーブ内にランプ２７５１を収納することによって、導光板側面にランプを具備する場合に必要とされる空間を確保しなくてもいいので、液晶表示装置の大きさを小さくすることができるという効果が得られる。
【０２４０】
一方、前記グルーブ内に収納されたランプ２７５１をカバーするためにランプ反射板２７５３が具備される。
【０２４１】
以上で説明したバックライトアセンブリ及びこれを有する液晶表示装置によると、導光板の形状やバックライトアセンブリの構造を変更することにより、液晶表示装置の全体的な大きさを減少することができる。
【０２４２】
また、多量の光を液晶表示パネル側に射出させるために導光板の構造を光学特性に合わせて設計することによって、光学特性を向上させることができる。
【０２４３】
以上、本発明の実施例によって詳細に説明したが、本発明はこれに限定されず本発明が属する技術分野において通常に知識を有するものであれば本発明の思想及び思想を離れることなく、本発明を多様に修正または変更できる。
【図面の簡単な説明】
【０２４４】
【図１】本発明の第１実施例による液晶表示装置を示す分解斜視図である。
【図２】図１をＩ−Ｉ`で切断した断面図である。
【図３】図１をII−II`で切断した断面図である。
【図４】図１で図示された導光板を示す斜視図でる。
【図５】図４の導光板の底面の拡大図である。
【図６】図１に図示されたバックライトアセンブリの結合構造を示す斜視図である。
【図７】図１に図示されたバックライトアセンブリの収納構造を示す斜視図である。
【図８】本発明の第２実施例による導光板を示す斜視図である。
【図９】本発明の第３実施例による導光板を示す斜視図である。
【図１０】本発明の第４実施例による液晶表示装置の断面図である。
【図１１】図１０に示したバックライトアセンブリの収納構造を示した図面である
【図１２】本発明の第５実施例によるバックライトアセンブリの収納構造を示す斜視図である。
【図１３】本発明の第６実施例によるバックライトアセンブリの収納構造を示す斜視図である。
【図１４】本発明の第７実施例による液晶表示装置の断面図である。
【図１５】図１４に示した導光板を示す斜視図である。
【図１６】本発明の第８実施例による液晶表示装置の断面図である。
【図１７】図１６に図示された導光板を示す斜視図である。
【図１８】本発明の第９実施例による液晶表示装置を示す分解斜視図である。
【図１９】図１８に示した液晶表示装置の断面図である。
【図２０】図１８及び図１９に示した導光板とランプとの位置関係を示す斜視図である。
【図２１】図１８に示した液晶表示装置のバックライトアセンブリの収納構造を示す斜視図である。
【図２２】本発明の第１０実施例による液晶表示装置の断面図である。
【図２３】図２２のＢ部分の拡大図である。
【図２４】本発明の第１１実施例による液晶表示装置を示す断面図である。
【図２５】本発明の第１２実施例による液晶表示装置の分解斜視図である。
【図２６】図２５に図示した液晶表示装置の断面図である。
【図２７】図２５に図示された導光板を具体的に示す斜視図である。
【図２８】図２５に図示されたランプユニットを具体的に示す斜視図である。
【図２９】図２５に図示された導光板とランプユニットとの結合関係を具体的に示す斜視図である。
【図３０】本発明の第１３実施例による液晶表示装置の断面図である。
【図３１】図３０に図示した導光板とランプユニットとの結合関係を具体的に示す斜視図である。
【図３２】本発明の第１４実施例による液晶表示装置の断面図である。
【図３３】本発明の第１５実施例による液晶表示装置の断面図である。
【図３４】本発明の第１６実施例によるバックライトアセンブリが採用される液晶表示装置の分解斜視図である。
【図３５】図３４に図示された液晶表示装置の断面図である。
【図３６】図３４で図示した導光板を示す斜視図である。
【図３７】図３４で図示したバックライトアセンブリで発生される光の経路を示すための断面図である。
【図３８】図３４で図示したバックライトアセンブリの結合構造を示す斜視図である。
【図３９】本発明の第１７実施例による導光板を示す斜視図である。
【図４０】本発明の第１８実施例によるバックライトアセンブリの結合構造を示す分解斜視図である。
【符号の説明】
【０２４５】
１５０      ボトムシャーシ
２００      液晶表示装置
２１０      液晶表示パネル
２１１      薄膜トランジスター
２１３      カラーフィルター基板
２３０      印刷回路基板
２４０      データ側テープキャリアパッケージ
２５０      ゲート側ＴＣＰ
３３０      光学シート類
４００、４０３      モールドフレーム
７００      バックライトアセンブリ
７２０      導光板
７４０      反射板
７５０      ランプユニット
７５１      ランプ
７５５、７５９      接地電極
７５７      グルーブ
１１５０      ボトムシャーシ
１７２０      導光板
１７５０      ランプユニット
１７５１      ランプ
１７２１ａ    ランプ収納部
【図１】
2004193135.tif 000003
【図２】
2004193135.tif 000004
【図３】
2004193135.tif 000005
【図４】
2004193135.tif 000006
【図５】
2004193135.tif 000007
【図６】
2004193135.tif 000008
【図７】
2004193135.tif 000009
【図８】
2004193135.tif 000010
【図９】
2004193135.tif 000011
【図１０】
2004193135.tif 000012
【図１１】
2004193135.tif 000013
【図１２】
2004193135.tif 000014
【図１３】
2004193135.tif 000015
【図１４】
2004193135.tif 000016
【図１５】
2004193135.tif 000017
【図１６】
2004193135.tif 000018
【図１７】
2004193135.tif 000019
【図１８】
2004193135.tif 000020
【図１９】
2004193135.tif 000021
【図２０】
2004193135.tif 000022
【図２１】
2004193135.tif 000023
【図２２】
2004193135.tif 000024
【図２３】
2004193135.tif 000025
【図２４】
2004193135.tif 000026
【図２５】
2004193135.tif 000027
【図２６】
2004193135.tif 000028
【図２７】
2004193135.tif 000029
【図２８】
2004193135.tif 000030
【図２９】
2004193135.tif 000031
【図３０】
2004193135.tif 000032
【図３１】
2004193135.tif 000033
【図３２】
2004193135.tif 000034
【図３３】
2004193135.tif 000035
【図３４】
2004193135.tif 000036
【図３５】
2004193135.tif 000037
【図３６】
2004193135.tif 000038
【図３７】
2004193135.tif 000039
【図３８】
2004193135.tif 000040
【図３９】
2004193135.tif 000041
【図４０】
2004193135.tif 000042